(57)【要約】【課題】梯子を伸縮構造にしなくても梯子を使用したり収納できるようにする。【解決手段】長手方向両端側にフック部材５が設けられると共に長手方向一端側近傍に昇降口４を有する足場台２と、上端が足場台２の昇降口４近傍に連結されていて使用姿勢Ａと収納姿勢Ｂとに姿勢変更可能な梯子とを備え、前記足場台２の昇降口４と長手方向一端側のフック部材５との間に固定ブラケット２０を設けており、前記固定ブラケット２０にリンク部材２４の一端を揺動自在に連結し、このリンク部材２４の他端を梯子３の上端に回動自在に連結し、前記リンク部材２４を梯子３を使用姿勢Ａから収納姿勢Ｂにしたときに前記他端側が長手方向一端側のフック部材５近傍まで揺動可能している。【選択図】図１
2005194758.tif 000002
【特許請求の範囲】
【請求項１】
長手方向両端側にフック部材が設けられると共に長手方向一端側近傍に昇降口を有する足場台と、上端が足場台の昇降口近傍に連結されていて使用姿勢と収納姿勢とに姿勢変更可能な梯子とを備え、前記足場台の昇降口と長手方向一端側のフック部材との間に固定ブラケットを設けており、前記固定ブラケットにリンク部材の一端を揺動自在に連結し、このリンク部材の他端を梯子の上端に回動自在に連結し、前記リンク部材を梯子を使用姿勢から収納姿勢にしたときに前記他端側が長手方向一端側のフック部材近傍まで揺動可能していることを特徴とする足場台ユニット。
【請求項２】
前記固定ブラケットを足場台に幅方向に一対設け、両ブラケットに連結される一対の連結される一対のリンク部材をひとつのリンク形成部材で形成し、このリンク形成部材に軸方向の突出によって固定ブラケットに係脱自在に係止する係止ピンを設けると共に、この係止ピンの軸方向後退を規制可能な連結機構を設けたことを特徴とする請求項１に記載の足場台ユニット。
【請求項３】
前記足場台の昇降口の幅方向側部側に前記リンク部材と連結可能な補助固定ブラケットを設けたことを特徴とする請求項１又は２に記載の足場台ユニット。
【発明の詳細な説明】
【技術分野】
【０００１】
本発明は、足場台に梯子を備えた足場台ユニットに関する。
【背景技術】
【０００２】
足場台に梯子を備えた足場台ユニットとして、特許文献１に示すものがある。
この足場台の長手方向両端側には、パイプに係止するフック部材が設けられ、長手方向一端側には昇降口が設けられており、梯子の上端は昇降口の近傍で足場台に設けられた固定ブラケットを介して回動自在に支持されている。
この足場台ユニットは、例えば建築現場等で建物を建築する際に使用されるもので、支持体に支持された一対のパイプにフック部材を係止して足場台を固定し、その足場台上で作業ができるようになっている。そして、梯子を使用するときは梯子を下方側に回動させて梯子の下端を設置面に接地し、梯子を使用しないときは梯子を上方側に回動させて足場台の下部に収納することができるようになっている。
【０００３】
また、この足場台ユニットは、足場台の下側に梯子を収納するようにしてるので、梯子の長さは足場台の長さよりも短くなっている。
ところで、建築現場等ではパイプの間隔は１８００ｍｍ、足場台の高さは１７２５ｍｍ（１８００ｍｍ）と規格等で定められており、足場台の長さと足場台の高さとが略同じである。
したがって、梯子を収納姿勢から使用姿勢にするときに足場台に収納した梯子を単に下方に回動させただけでは梯子の下端が設置面に届かないので、梯子を使用する場合は梯子を延ばすようにしている。
【０００４】
一方、梯子を使用姿勢から収納姿勢にするときに使用姿勢にしている梯子を単に上方に回動させただけでは梯子が足場台よりも長くなり足場台の下に収納できないので、梯子を収納する場合は梯子を縮めるようにしている。
【特許文献１】特開平５−４７２１１号公報
【発明の開示】
【発明が解決しようとする課題】
【０００５】
しかしながら、従来の足場台ユニットでは、梯子を使用する際には梯子を延ばし、梯子を使用しない場合には梯子を縮める作業をしなければならず、この梯子の伸縮作業が非常に面倒であった。
また、梯子を伸縮するために、梯子を伸縮させる構造が必要で構造が複雑になると共に、足場台ユニット自体の製造コスト等も高くなるという問題がある。
そこで、本発明は、上記問題点に鑑み、足場台の固定ブラケットに梯子の上端をリンク部材を介して連結して、このリンク部材を固定ブラケットの下方からフック部材側に揺動可能にすることによって梯子を伸縮構造にしなくても梯子を使用したり収納したりすることができると共に、安価で構成の簡単な足場台ユニットを提供することを目的とする。
【課題を解決するための手段】
【０００６】
前記目的を達成するため、本発明においては以下の技術的手段を講じた。即ち、長手方向両端側にフック部材が設けられると共に長手方向一端側近傍に昇降口を有する足場台と、上端が足場台の昇降口近傍に連結されていて使用姿勢と収納姿勢とに姿勢変更可能な梯子とを備え、前記足場台の昇降口と長手方向一端側のフック部材との間に固定ブラケットを設けており、前記固定ブラケットにリンク部材の一端を揺動自在に連結し、このリンク部材の他端に梯子の上端に回動自在に連結し、前記リンク部材を梯子を使用姿勢から収納姿勢にしたときに前記他端側が長手方向一端側のフック部材近傍まで揺動可能している点にある。
【０００７】
これによれば、梯子を収納姿勢から使用姿勢にする際、リンク部材の他端部は下方に揺動するので、リンク部材の長さの分だけ足場台に対して梯子の上端を下方に移動させることができる。
一方、梯子を収納姿勢にする際、リンク部材の他端部は一つのフック部材側近傍まで移動するので梯子の上端をフック部材の近傍に近づけることができる。
また、収納の際、梯子の上端を足場台のフック部材近傍まで位置させることができるので、梯子をできるだけ長くすることができる。
【０００８】
本発明における課題解決のための他の技術的手段は、前記固定ブラケットを足場台に幅方向に一対設け、両ブラケットに連結される一対の連結される一対のリンク部材をひとつのリンク形成部材で形成し、このリンク形成部材に軸方向の突出によって固定ブラケットに係脱自在に係止する係止ピンを設けると共に、この係止ピンの軸方向後退を規制可能な連結機構を設けている点にある。
これによれば、梯子を簡単に足場台に着脱することができると共に、リンク部材の強度を上げることができる。
【０００９】
本発明における課題解決のための他の技術的手段は、前記足場台の昇降口の幅方向側部側に前記リンク部材と連結可能な補助固定ブラケットを設けている点にある。
これによれば、昇降口の幅方向側部側に梯子を取り付けることで、足場台への昇降の向きを変更することができる。
【発明の効果】
【００１０】
足場台の固定ブラケットに梯子の上端をリンク部材を介して連結して、このリンク部材を固定ブラケットの下方からフック部材側に揺動可能にすることによって梯子を伸縮構造にしなくても梯子を使用したり収納したりすることができる。
【発明を実施するための最良の形態】
【００１１】
以下、本発明の実施の形態を図面を参照して説明する。
図１、２に示すように足場台ユニット１は足場台２と、この足場台２に回動自在に連結される梯子３とを有している。
足場台２は、アルミ合金、ステンレス等の金属系材料で長方形に板状に形成されており、この足場台２の長手方向一端側には昇降口４が形成され、足場台２の長手方向両端部にはフック部材５が設けられている。梯子３の上部は足場台２の昇降口４近傍に連結機構６を介して連結されている。
【００１２】
この足場台ユニット１は、支持体８によって略平行に支持されている一対のパイプ９にフック部材５を係止して足場台２を固定し、梯子３を回動させて設置面Ｆに立てかけて使用姿勢Ａにすることで使用することができ、使用姿勢Ａである梯子３を回動させて足場台２に重ねて収納姿勢Ｂにすることでコンパクトに折り畳むことができるようになっている。
図１、３に示すように、この足場台２は、例えば押し出し成形により角筒状に形成された一対の長尺部材１２の長手方向両端部を断面略コ字形の連結部材１３（例えばチャンネル）で連結して口枠１４を形成し、この口枠１４に矩形状の足場板材１５を長手方向他端側から長手方向中途部まで複数並列させて固定することによって形成され、足場板材１５が口枠１４に固定されていない部分は昇降口４とされている。
【００１３】
足場台２には、昇降口４を開閉する蓋体１６が設けられている。具体的には、昇降口４の幅方向一側部側の長尺部材１２に、矩形状に形成された蓋体１６の一端側がヒンジを介して連結されている。
足場台２をパイプ９に係止するためのフック部材５は、一対の長尺部材１２の長手方向両端部にボルト等の締結具を介して取り付けられて足場台２から突出しており、このフック部材５にはパイプ９に係止したときにパイプ９からの抜け止めを防止するロック機構が設けられている。
【００１４】
足場台２の長手方向一端側、即ち、昇降口４近傍側の連結部材１３には、幅方向に一対の固定ブラケット２０が設けられ、足場台２の長手方向一端側で且つ幅方向中央部には、梯子３を収納姿勢Ｂにしたときに梯子３の下部側を係止可能で収納姿勢Ｂにおける梯子３の開き止めをする開き止め部材２１が設けられている。
梯子３は、一対の支柱２２を長手方向に複数本の桟部材２３で連結して形成されており、この梯子３の幅は足場台２の幅よりもやや狭く設定されていると共に、梯子３の長さは足場台２の長さと同じ又はそれよりも短く設定されている。
【００１５】
なお、梯子３を収納姿勢Ｂにしたときに、梯子３の上端がパイプ９に干渉しない（フック部材５のパイプ受け部よりも長手方向に突出しない）場合は、梯子３を足場台２よりも長くすることができる。
梯子３の上端部側は、一対の帯板状のリンク形成部材３４を介して固定ブラケット２０に連結されている。このリンク形成部材３４は、幅方向に一対のリンク部材２４と、このリンク部材２４の上端を互いに連結する連結部材３３とを有している。
このリンク部材２４の一端側は固定ブラケット２０に揺動自在に連結され、リンク部材２４の他端側は梯子３の上端に回動自在に連結されている。
【００１６】
具体的には、図５、６に示すように、固定ブラケット２０に被係止孔２７（被係止部）が形成され、リンク部材２４の上端部には突出孔２８が形成されており、固定ブラケット２０の被係止孔２７とリンク部材２４の一端側の突出孔２８とに係止ピン２９（係止部材）が挿入されており、これによって、リンク部材２４の一端は係合ピン２９の軸心回りに揺動自在となっている。
一方、リンク部材２４の他端と支柱２２の上端とはボルト３１介して締結されており、リンク部材２４の他端はボルト３１の軸心回りに回動自在となっている。
【００１７】
固定ブラケット２０は、連結部材１３の幅方向両端側に固定されており、固定ブラケット２０の幅方向内側にリンク部材２４が設けられている。また、固定ブラケット２０の幅方向外側に梯子３の支柱２２が配置されている。
リンク部材２４の中途部から下端部にかけて幅方向外側に屈曲しており、これによって、梯子３を長手方向一端側のフック部材５へ揺動させたときに、支柱２２と固定ブラケット２０とが干渉しないようになっている。
各リンク部材２４の長さ（リンク部材２４の突出孔２８からリンク部材２４の取付孔３０までの長さＬ）は、リンク部材２４の他端側を長手方向一端側のフック部材５側に揺動させたときに、図３、４に示すように、梯子３の上端がフック部材５又はパイプ９に干渉しない程度に設定されている。
【００１８】
係止ピン２９は、リンク形成部材３４に設けられた支持フレーム３６に軸方向移動自在に且つ軸心回りに回動自在に支持されており、この係止ピン２９の軸方向移動によってリンク部材２４（リンク形成部材３４）、即ち、梯子３は固定ブラケット２０に着脱自在となっている。
この係止ピン２９の後端部には、係止ピン２９の後端部から屈曲して長手方向一端側のフック部材５側へ向くハンドル３７が設けられている。
このハンドル３７よりも幅方向内側には、被係止部２７に係止している係止ピン２９の被係止部２７からの離脱を阻止すべくハンドル３７の離脱方向への移動を規制すると共に、被係止部２７に係止している係止ピン２９を被係止部２７からの離脱を可能にすべくハンドル３７の離脱方向への移動を許容するハンドル移動制御部材３８が設けられている。
【００１９】
このハンドル移動制御部材３８は略コの字形のチャンネルを、その溝がリンク部材２４の他端側に向くように（チャンネルの側壁が連結部材３３から突出するように）連結部材３３に取り付けたもので、ハンドル３７の離脱方向への移動を阻止する阻止部４０と、ハンドル３７の離脱方向への移動を許容する許容部４１とを有している。
阻止部４０は、連結部材３３からリンク部材２４の他端側へ突出していてハンドル３７に当接可能なチャンネルの側壁部分から構成され、許容部４１はチャンネルの溝部分から構成されている。
【００２０】
支持フレーム３６は、ハンドル移動制御部材３８の幅方向外側に位置し、係止ピン２９の中途部及び後端部側を支持する一対の支持部４３と、この支持部４３を連結すると共に支持フレーム３６を連結部材３３に取り付ける取付部４４と、内側の支持部４３から幅方向内側に屈曲していてハンドル３７に当接可能でハンドル３７を係止終端側で回動させる回動部４５とを有している。
係止ピン２９を被係止部２７に係止した状態において、係止ピン２９の先端部はリンク部材２４の突出孔２８に挿入され、係止ピン２９の中途部及び後端部は、支持部４３に設けられた挿通孔４６に挿入されており、一対の支持部４３の間の係止ピン２９には、係止ピン２９を係止方向に付勢するスプリング４７（付勢手段）が設けられている。
【００２１】
ハンドル移動制御部材３８の許容部４１（溝部）を下側に向けた状態、即ち、リンク部材２４の他端部を下側に向けて梯子３を使用状態にした状態においては、支持フレーム３６の回動部４５は、長手方向他端側から長手方向一端側にいくにしたがって（図６のａ方向）その幅が小さくなるように傾斜状となっている。この回動部４５はハンドル移動制御部材３８の開口部４１よりも下側に位置すると共に、ハンドル移動制御部材３８の長手方向端部側の近傍に位置している。
したがって、リンク部材２４の他端部を下側に向けた状態において、被係止部２７に係止ピン２９が係止しているとき、ハンドル３７を長手方向他端側（許容部４１側に近づく方向）に回動させながら付勢手段４７の付勢力に抗して離脱方向に移動させて、ハンドル３７を許容部４１に位置させることで係止ピン２９を被係止部２７から離脱させることができ、これによって、梯子３を足場台２から取り外すことができる。
【００２２】
一方、許容部４１に位置するハンドル３７を離せば、付勢手段４７の付勢力により係止ピン２９は係止方向に移動し、これによって、梯子３を足場台２に取り付けることができる。
このとき、図６、７に示すように、許容部４１に位置するハンドル３７は付勢力により回動部４５に近づき、自動的に回動部４５を摺動して長手方向一端側に回動しながら係止終端側に移動する。そして、係止終端側でハンドル移動制御部材３８の阻止部４０近傍に位置するようになっており、この状態でハンドル３７を直線的に離脱方向に移動させてもハンドル３７の直線的移動が阻止部４０で規制される。
【００２３】
また、ハンドル３７は係止終端側で回動部４５に当接可能になっており、ハンドル３７の長手方向他端側への回動は回動部４５で規制されている。
したがって、梯子３を足場台２に取り付けた状態では、回動部４５によってハンドル３７の先端部が梯子３の昇降側とは反対側に向くように設定されており、言い換えれば、足場台２の昇降口４から離れる方向に設定されている。
これによって、梯子３を使用する使用姿勢Ａにおいて、ハンドル３７の先端部が梯子３の昇降側に突出することはなく、使用者が梯子３で昇降する際にハンドル３７が使用者に接触することはない。
【００２４】
図４に示すように、この足場台２の昇降口４の幅方向他側部側の長尺部材１２には、長さ方向一対の補助固定ブラケット５０が設けられており、各補助固定ブラケット５０には、リンク形成部材３４に設けられた係止ピン２９が係止可能な被係止孔２７（被係止部）が設けられている。
したがって、図４の破線に示すように、リンク部材２４（リンク形成部材３４）を係止ピン２９を介して補助固定ブラケット５０に係止することで足場台２に対して梯子３を長さ方向に取り付けることが可能である。
【００２５】
梯子３の開き止めをする開き止め部材２１は、足場台２の幅方向中央側で幅方向に回動自在に支持されたフック部材で構成されており、梯子３を足場台２の下側で重合させたときに、梯子３の下方側の桟部材２３に係止することで、梯子３の開き止めをしている。
なお、図８，９に示すように、上記の開き止め部材２１を、支持フレーム５１を介して軸方向移動自在に且つ回動自在に支持された係止ピン５２で構成してもよい。この場合、梯子３の桟部材２３にはこの係止ピン５２と係止する被係止部２７を設け、この係止ピン５１と被係止部２７との係脱により梯子３の下部を連結可能としている。
【００２６】
この支持フレーム５１は、締結具５３を介して足場台２に取り付けられており、足場台２に取り付けられると共に、係止ピン５２の足場台２側外周部と当接する取付部５４と、この取付部５４とで係止ピン５２を挟持する挟持部５５とを有しており、この挟持部５５と取付部５４とで係止ピン５２を挟持することで係止ピン５２は軸方向移動自在に且つ回動自在に支持されている。この挟持部５５には係止ピン５２を係止方向に付勢する付勢手段４７が設けられている。
また、挟持部５５には、係止ピン５２に設けられたハンドル５６と係合してハンドル５６の移動を規制したり許容するハンドル案内溝５７が形成されており、このハンドル５６ハンドル案内溝５７には、ハンドル５６の離脱方向への移動を阻止する阻止部５８と、ハンドル５６の離脱方向への移動を許容する許容部５９と、係止ピン５２を付勢手段４７で係止方向に移動させるときに、ハンドル５６を係止終端側で回動させる回動部６０と、ハンドル５６を離脱位置に固定するロック部６１とを有している。
【００２７】
この回動部６０は、傾斜状に形成されており、この傾斜部をハンドル５６が摺動することによって、ハンドル５６が回動するようになっている。
したがって、ロック部６１にあるハンドル５６を許容部５９に移動させれば、ハンドル５６は回動部６０側に移動し、係止終端側で傾斜している回動部６０を摺動して、そこで回動しながら阻止部５８に移動させることができる。
以上の構成によれば、梯子３が収納姿勢Ｂにある場合、梯子３の開き止め部材２１と梯子３との係止を解除すれば、リンク部材２４の上端を支点としてリンク部材２４の他端が下方に移動する。このとき、リンク部材２４の揺動によって、リンク部材２４の長さだけ梯子３の上端は下方に移動することとなり、梯子３の下端を設置面Ｆに設置して梯子３を使用姿勢Ａにすることができる。
【００２８】
一方、梯子３が使用姿勢Ａにある場合、リンク部材２４の上端を支点としてリンク部材２４の他端部を昇降口４から離れるようにフック部材５に揺動させて、梯子３の下端を開き止め部材２１に係止すれば、梯子３を足場台２の下部に重合させて、収納姿勢Ｂにすることができる。
したがって、梯子３の上端を足場台２の長手方向一端側に近傍に近づけるようにしているので、梯子３の長さをできるだけ長くすることができる。
本実施形態にかかるは、上記実施の形態に限定されるものではない。
【００２９】
即ち、上記の実施の形態では、固定ブラケット２０に被係止部２７を設け、リンク部材２４（リンク形成部材３４）に軸方向に移動可能な係止ピン２９を設けることで、リンク部材２４を固定ブラケット２０に着脱自在にしていたが、リンク部材２４の一端を固定ブラケット２０に揺動自在で且つ着脱不能に固定してもよい。
また、リンク部材２４をひとつのリンク形成部材３４で一体的に形成していたが、リンク部材２４を別々に形成し、各リンク部材２４の上端を固定ブラケット２０に揺動自在に連結し、他端を梯子３の上端に回動自在に連結するようにしてもよい。
【図面の簡単な説明】
【００３０】
【図１】本願発明にかかる足場台ユニットの使用姿勢における側面図である。
【図２】足場台ユニットの収納姿勢における側面図である。
【図３】足場台ユニットを収納したときの平面図である。
【図４】連結機構の側面拡大図である。
【図５】連結機構の正面拡大図である。
【図６】連結機構の平面拡大図である。
【図７】図６のＸ−Ｘ断面図である。
【図８】開き止め部材の他の実施の形態の平面図である。
【図９】開き止め部材の他の実施の形態の側面図である。
【符号の説明】
【００３１】
１    足場台ユニット
２    足場台
３    梯子
４    昇降口
５    フック部材
６    連結機構
２０    固定ブラケット（第２部材）
２４    リンク部材（第１部材）
２９    係止ピン（係止部材）
３３    リンク形成部材
３６    支持フレーム
３７    ハンドル
４５    回動部
４７    スプリング（付勢手段）
５１    支持フレーム
６０    回動部
【図１】
2005194758.tif 000003
【図２】
2005194758.tif 000004
【図３】
2005194758.tif 000005
【図４】
2005194758.tif 000006
【図５】
2005194758.tif 000007
【図６】
2005194758.tif 000008
【図７】
2005194758.tif 000009
【図８】
2005194758.tif 000010
【図９】
2005194758.tif 000011